(57)【要約】【課題】  本発明は、高調波妨害を防止する制御モジュールを備えたディスプレイ装置を与え、ムラ現象を克服することを目的とする。【解決手段】  ディスプレイ装置は、画像走査周波数を有する画像信号を受信するよう適合され、内部光源、光源調整モジュール、及び制御モジュールを含む。光源調整モジュールは、源制御信号を生成するパルス幅変調コントローラを有する。制御モジュールは、周波数検出回路と、複数の範囲調整回路とを有する。周波数検出回路は、範囲調整回路のうちの１つのを作動させ、パルス幅変調コントローラを制御する。【選択図】  図４ 
2005346081.tif 000002
【特許請求の範囲】
【請求項１】
ディスプレイ走査周波数を有する画像信号（７０２）を受信し、前記画像信号（７０２）に対応する画像を表示するよう適合されたディスプレイ装置（１０）であって、
内部光源（９）と、
前記内部光源（９）に電気的に結合され、作動可能であるため前記内部光源（９）のターンオン及びターンオフを制御するよう源制御信号（８０１）を生成できるパルス幅変調コントローラ（８０）を含む光源調整モジュール（８）と、
前記画像信号（７０２）の前記ディスプレイ走査周波数を検出する周波数検出回路（６０）、及び、夫々が前記周波数検出回路（６０）と前記パルス幅変調コントローラ（８０）に電気的に結合される複数の範囲調整回路（６１，６２，６３）を含む制御モジュール（８２）と、
を有し、
前記周波数検出回路（６０）は、検出された前記ディスプレイ走査周波数に従って前記範囲調整回路（６１，６２，６３）のうちの１つを作動させ、
前記範囲調整回路（６１，６２，６３）のうちの作動された１つは、前記パルス幅変調コントローラ（８０）を制御するため、前記パルス幅変調コントローラ（８０）は、前記範囲調整回路（６１，６２，６３）のうちの前記作動された１つに対応し、前記周波数検出回路（６０）によって検出された前記ディスプレイ走査周波数の整数の倍数ではない前記ターンオン及びターンオフ周波数を有する予めセットされた周波数範囲で前記源制御信号（８０１）を生成する、
ディスプレイ装置。
【請求項２】
前記パルス幅変調コントローラ（８０）はバーストモードで作動される、請求項１記載のディスプレイ装置（１０）。
【請求項３】
前記範囲調整回路（６１，６２，６３）のうち夫々が、前記周波数検出回路（６０）に結合し制御された接地スイッチ（６１１，６２１，６３１）と、前記接地スイッチ（６１１，６２１，６３１）と前記パルス幅変調コントローラ（８０）との間で結合されたキャパシタとを含む、
請求項１記載のディスプレイ装置（１０）。
【請求項４】
前記ディスプレイ装置（１０）は液晶ディスプレイ装置であり、前記内部光源（９）はランプ管又は発光ダイオードを含む、請求項１記載のディスプレイ装置（１０）。
【請求項５】
前記ディスプレイ装置（１０）はバックプロジェクション・ディスプレイであり、前記内部光源はランプ管又は発光ダイオードを含む、請求項１記載のディスプレイ装置（１０）。
【請求項６】
前記ディスプレイ装置（１０）はプロジェクション装置であり、前記内部光源はランプ管又は発光ダイオードを含む、請求項１記載のディスプレイ装置（１０）。
【請求項７】
ディスプレイ装置（１０）内の高調波妨害を防止する制御モジュール（８２）であって、
前記ディスプレイ装置（１０）は、ディスプレイ走査周波数を有する画像信号（７０２）を受信し、前記画像信号（７０２）に対応する画像を表示し、
前記ディスプレイ装置（１０）は、内部光源（９）と、前記内部光源（９）に電気的に結合された光源調整モジュール（８）とを有し、前記光源調整モジュール（８）は、作動可能であるため前記内部光源（９）のターンオン及びターンオフを制御するよう源制御信号（８０１）を生成できるパルス幅変調コントローラ（８０）を含み、
前記制御モジュール（８２）は、
前記画像信号（７０２）の前記ディスプレイ走査周波数を検出するよう適合された周波数検出回路（６０）と、
夫々が前記周波数検出回路（６０）と電気的に結合され、パルス幅変調コントローラ（８０）に電気的に結合されるよう適合された、複数の範囲調整回路（６１，６２，６３）と、
を有し、
前記周波数回路（６０）は、検出された前記ディスプレイ走査周波数に従って前記範囲調整回路（６１，６２，６３）のうちの１つを作動させ、
前記範囲調整回路（６１，６２，６３）のうちの作動された１つは、前記パルス幅変調コントローラ（８０）を制御するため、前記パルス幅変調コントローラ（８０）は、前記範囲調整回路（６１，６２，６３）のうちの前記作動された１つに対応し、前記周波数検出回路（６０）によって検出された前記ディスプレイ走査周波数の整数の倍数ではない前記ターンオン及びターンオフ周波数を有する予めセットされた周波数範囲内で、前記源制御信号（８０１）を生成する、
制御モジュール。
【請求項８】
前記範囲調整回路（６１，６２，６３）の夫々は、前記周波数検出回路（６０）によって結合し制御された接地スイッチ（６１１，６２１，６３１）と、ターミナルの一終端で前記接地スイッチ（６１１，６２１，６３１）に結合され、ターミナルの他終端で前記パルス幅変調コントローラ（８０）に結合されるよう適合されたキャパシタ（６１１，６２１，６３１）とを含む、
請求項７記載の制御モジュール（８２）。
【請求項９】
ディスプレイ走査周波数を有する画像信号（７０２）を受信し、前記画像信号（７０２）に対応する画像を表示するよう適合されたディスプレイ装置（１０）であって、
内部光源（９）と、
前記内部光源（９）に電気的に結合され、作動可能であるため前記内部光源（９）のターンオン及びターンオフを制御するよう源制御信号（８０１）を生成できるパルス幅変調コントローラ（８０）を含む光源調整モジュール（８）と、
前記画像信号（７０２）の前記ディスプレイ走査周波数を検出する周波数検出回路（６０）、及び、夫々が前記周波数検出回路（６０）と前記パルス幅変調コントローラ（８０）に電気的に結合される複数のスイッチ回路（６１，６２，６３）を含む制御モジュール（８２）と、
を有し、
前記周波数検出回路（６０）は、検出された前記ディスプレイ走査周波数に従って前記スイッチ回路（６１，６２，６３）のうちの１つを作動させ、
前記スイッチ回路（６１，６２，６３）のうちの作動された１つは、前記パルス幅変調コントローラ（８０）を制御するため、前記パルス幅変調コントローラ（８０）は、前記スイッチ回路（６１，６２，６３）のうちの前記作動された１つに対応し、前記周波数検出回路（６０）によって検出された前記ディスプレイ走査周波数の整数の倍数ではない前記ターンオン及びターンオフ周波数を有する予めセットされた周波数範囲で前記源制御信号（８０１）を生成する、
ディスプレイ装置。
【請求項１０】
ディスプレイ装置（１０）内の高調波妨害を防止する制御モジュール（８２）であって、
前記ディスプレイ装置（１０）は、ディスプレイ走査周波数を有する画像信号（７０２）を受信し、前記画像信号（７０２）に対応する画像を表示し、
前記ディスプレイ装置（１０）は、内部光源（９）と、前記内部光源（９）に電気的に結合された光源調整モジュール（８）とを有し、前記光源調整モジュール（８）は、作動可能であるため前記内部光源（９）のターンオン及びターンオフを制御するよう源制御信号（８０１）を生成できるパルス幅変調コントローラ（８０）を含み、
前記制御モジュール（８２）は、
前記画像信号（７０２）の前記ディスプレイ走査周波数を検出するよう適合された周波数検出回路（６０）と、
夫々が前記周波数検出回路（６０）と電気的に結合され、パルス幅変調コントローラ（８０）に電気的に結合されるよう適合された、複数のスイッチ回路（６１，６２，６３）と、
を有し、
前記周波数回路（６０）は、検出された前記ディスプレイ走査周波数に従って前記スイッチ回路（６１，６２，６３）のうちの１つを作動させ、
前記スイッチ回路（６１，６２，６３）のうちの作動された１つは、前記パルス幅変調コントローラ（８０）を制御するため、前記パルス幅変調コントローラ（８０）は、前記スイッチ回路（６１，６２，６３）のうちの前記作動された１つに対応し、前記周波数検出回路（６０）によって検出された前記ディスプレイ走査周波数の整数の倍数ではない前記ターンオン及びターンオフ周波数を有する予めセットされた周波数範囲内で、前記源制御信号（８０１）を生成する、
制御モジュール。
【発明の詳細な説明】
【技術分野】
【０００１】
本発明は、ディスプレイ装置に係り、より特には高調波妨害を防止する制御モジュールを備えたディスプレイ装置に係る。
【背景技術】
【０００２】
液晶ディスプレイ（ＬＣＤ）、バックプロジェクション・ディスプレイ、及びプロジェクタ装置等の平面パネルディスプレイ（ＦＰＤ）装置は、ディスプレイ装置の傾向となっている。かかるＦＰＤ装置では、例えば、従来のＬＣＤ装置は、背面照明源モジュールの動作を制御するディスプレイパネル、背面照明源モジュール、及び光源調整モジュール（インバータ等）を含む。
【０００３】
図１に示す通り、ＬＣＤ装置での輝度及びコントラストの調整は、一般的には、背面照明源モジュールに適用された電力信号１０１の振幅（ａ）の調整を介して実現される。実際の測定では、最大値と最小値との間の振幅（ａ）の調整は、調整可能な輝度の値の狭い範囲、即ち、２５０ｃｄ／ｍ２乃至１８０ｃｄ／ｍ２に帰着するのみである。
【０００４】
図２を参照し、バーストモードで動作することができるＬＳＤ装置は、電力回路３０、制御ユニット３１、変圧器ユニット３２、フィードバック・ユニット３３、及び一組の光源３４（ランプ管等）を含むよう図示される。
【０００５】
図１の制御の仕組みとは異なり、電源信号の振幅が最小値に調整されるとき、制御ユニット３１はバーストモードで動作し、幅が調整可能な方形波信号３０１を受信し、光源制御信号２０１を送信し、方形波３０１に従って変圧器ユニット３２及びフィードバック・ユニット３３を介して光源３４を制御するようにされる。
【０００６】
バーストモードでは、光源３４への電力は、方形波信号３０１に従って断続的に遮断される。図３に示す通り、光源３４が連続的にターンオン及びターンオフされる制御ユニット３１から源制御信号２０１の時間分は非常に制御されつため、残像をもたらす。そのため、光源３４の有視覚で最低限の輝度出力が得られる一方、時間分（ｄ）は光源３４のターンオフ期間に対応する。期間（Ｄ）までの期間（ｄ）の長さを調整することによって、調整可能な輝度の値のより広い範囲、例えば、２５０ｃｄ／ｍ２乃至５０ｃｄ／ｍ２が得られる。
【０００７】
しかしながら、源制御信号２０１を調整する工程の間、もたらされる光源３４のターンオン又はターンオフがディスプレイ走査周波数の整数の倍数であった場合は、高調波が発生する。これにより、ディスプレイパネル上でムラ現象（ｍｕｒａ  ｐｈｅｎｏｍｅｎｏｎ）がもたらされ、従って、ＬＣＤ装置によって示された画像の質が悪影響を受ける。同様のムラ現象はまた、バックプロジェクションディスプレイ及びプロジェクタ装置で起こる。
【発明の開示】
【発明が解決しようとする課題】
【０００８】
従って、本発明は、高調波妨害を防止する制御モジュールを備えたディスプレイ装置を与え、従来技術に関連付けらた前述のムラ現象を克服することを目的とする。
【０００９】
本発明の他の目的は、異なる走査周波数を有する信号を受信するよう適合されたディスプレイ装置を与えることである。かかるディスプレイ装置は、走査周波数及び光源のターンオン及びターンオフ周波数によって引き起こされた高調波妨害を防止するよう、制御モジュールを含む。
【００１０】
本発明の更に他の目的は、高調波妨害を防止するようディスプレイ装置内で使用する制御モジュールを与えることである。
【課題を解決するための手段】
【００１１】
本発明の１つの面によれば、ディスプレイ走査周波数を有する画像信号を受信し、画像信号に対応する画像を表示するよう適合されたディスプレイ装置が与えられる。ディスプレイ装置は、内部光源、光源調整モジュール、及び制御モジュールを有する。
【００１２】
光源調整モジュールは、内部光源に電気的に結合され、パルス幅変調コントローラを有する。該コントローラは、動作可能であり、内部光源のターンオン及びターンオフを制御する源制御信号を生成するようにされる。
【００１３】
制御モジュールは、画像信号のディスプレイ走査周波数を検出する周波数検出回路と、夫々が周波数検出回路及びパルス幅変調コントローラと電気的に結合された複数の範囲調整回路を有する。周波数検出回路は、検出されたディスプレイ走査周波数に従って範囲調整回路のうちの１つを作動させる。範囲調整回路のうちの作動された１つは、パルス幅変調コントローラを制御するため、パルス幅変調コントローラは、予めセットされた周波数範囲内で源制御信号を生成する。予めセットされた周波数範囲は、範囲調整回路のうちの作動された１つに対応し、また、周波数検出回路によって検出されたディスプレイ走査周波数の整数の倍数ではないターンオン及びターンオフ周波数を有する。
【００１４】
本発明の他の面によれば、ディスプレイ装置の高調波妨害を防止する制御モジュールが与えられる。かかるディスプレイ装置は、ディスプレイ走査周波数を有する画像信号を受信し、画像信号に対応する画像を表示する。ディスプレイ装置は、内部光源と、内部光源に電気的に結合されパルス幅変調コントローラを有する光源調整モジュールとを含む。パルス幅変調コントローラは動作可能であり、内部光源のターンオン及びターンオフを制御する源制御信号を生成するようにされる。
【００１５】
制御モジュールは、画像信号のディスプレイ走査周波数を検出する周波数検出回路と、夫々が電気的に周波数検出回路及びパルス幅変調コントローラに結合された複数の範囲調整回路とを含む。周波数検出回路は、検出されたディスプレイ走査周波数に従って範囲調整回路のうちの１つを作動させる。範囲調整回路のうちの作動された１つは、パルス幅変調コントローラを制御するため、パルス幅変調コントローラは、予めセットされた周波数範囲内で源制御信号を生成する。予めセットされた周波数範囲は、範囲調整回路のうちの作動された１つに対応し、また、周波数検出回路によって検出されたディスプレイ走査周波数の整数倍数ではないターンオン及びターンオフ周波数を有する。
【発明を実施するための最良の形態】
【００１６】
本発明の他の特性及び利点は、添付の図面を伴って望ましい実施例に関する以下の詳細な説明で明らかとなるであろう。
【００１７】
本発明によるディスプレイ装置１０の望ましい実施例は、図４及び図５に図示される。本実施例では、ディスプレイ装置１０は、内部光源としての役割を成す一組のランプ管９と、液晶ディスプレイ（ＬＣＤ）パネル５を有する液晶ディスプレイ装置である。他の実施例では、本発明のディスプレイ装置は、バックプロジェクション・ディスプレイ装置、プロジェクション装置等の形であってよく、内部光源は発光ダイオードであり得る。
【００１８】
ディスプレイ装置１０は、ディスプレイ走査周波数を有する画像信号７０２を受信するよう、また、画像信号７０２に対応する画像を表示するよう適合され、光源調整モジュール８を含む。光源調整モジュール８は、電力回路８１、電力回路８１に電気的に結合されたパルス幅変調（ＰＷＭ）コントローラ８０、ＰＷＭコントローラ８０に結合されたインバータ８３、インバータ８３及び内部光源９に結合された変圧器８４、及び、変圧器８４及びＰＷＭコントローラ８０に結合されたフィードバック・ユニット８５を含む。ＰＷＭコントローラ８０は、バーストモードで動作可能なため、調整可能な輝度値の幅広い範囲を可能にする。バーストモードで動作されているとき、ＰＷＭコントローラ８０は、内部光源９のターンオン及びターンオフを制御する源制御信号８０１を生成する。ＰＷＭコントローラ８０は、更に、制御信号を受信する制御ターミナル８０２を有する。該信号の振幅は多様であるため、ＰＷＭコントローラ８０は対応する周波数範囲内で源制御信号８０１を生成することができる。インバータ８３、変圧器８４、及びフィードバック・ユニット８５の構造及び動作は、当業者には周知であるため、簡潔さのためにここでは更に詳細には説明されない。
【００１９】
本実施例では、ディスプレイ装置１０は、更に、ＰＷＭコントローラ８０の動作を制御する制御モジュール８２を含む。制御モジュール８２は、画像信号７０２のディスプレイ走査周波数を検出する周波数検出回路６０と、夫々が周波数検出回路６０及びＰＷＭコントローラ８０と電気的に結合された複数の範囲調整回路６１，６２，６３とを含む。かかる実施例では、範囲調整回路６１，６２，６３は、スイッチ回路の形である。
【００２０】
この実施例では、ディスプレイ装置１０のＬＣＤパネル５は、パーソナルコンピュータのグラフィック・ディスプレイ・アダプタ・カード（以降、ディスプレイカード７と称する）のプロセッサ７１から画像信号７０２を受信するよう実証されている。画像信号７０２は、特定のディスプレイ走査周波数（例えば７５Ｈｚ）を有する。ＬＣＤパネル５は、既知の様式で画像信号７０２を応答し、それに対応する画像を表示するようにされる。加えて、周波数検出回路６０は、ディスプレイカード７に結合され、画像信号７０２のディスプレイ走査周波数を検出できるようにされる。また、該周波数検出回路は、動作可能であり、検出されたディスプレイ走査周波数に対応してステイタス信号７０１を生成し、範囲調整回路６１，６２，６３のうちの対応する１つを作動するようにされる。
【００２１】
幅広い範囲の用途を可能にするよう、範囲調整回路６１，６２，６３の数は、望ましくは、少なくとも、最近使用される５６Ｈｚ，６０Ｈｚ，７２Ｈｚ，及び８５Ｈｚ等の標準的なディスプレイ走査周波数の数に対応する。従って、実際には、少なくとも５つの範囲調整回路６１，６２，６３があり、その夫々が、標準ディスプレイ走査周波数のうちの１つに対応する。簡潔にするために、図面中には３つの範囲調整回路６１，６２，６３のみを例示している。
【００２２】
範囲調整回路６１，６２，６３は、周波数検出回路６０に結合され且つ該回路６０によって制御される接地スイッチ６１１，６２１，６３１と、ターミナルの一終端で接地スイッチ６１１，６２１，６３１に結合され且つターミナルの他終端でＰＷＭコントローラ８０の制御ターミナル８０２に結合するよう適合されたキャパシタ６１２，６２２，６３２とを含む。範囲調整回路６１，６２，６３のキャパシタ６１２，６２２，６３２は、異なる容量値を有し、接地スイッチ６１１，６２１，６３１は通例はオープン・スイッチである。該オープン・スイッチは、周波数検出回路６０からの専用制御ラインにおけるステイタス信号７０１の存在によって作動されるときのみ閉じる。
【００２３】
以下の例示的な例では、範囲調整回路６１，６２，６３は、夫々６０Ｈｚ、７５Ｈｚ、及び８５Ｈｚである標準ディスプレイ走査周波数に対応するよう構成されることが、想定される。周波数検出回路６０が、画像信号７０２のディスプレイ走査周波数が６０Ｈｚだと検出したとき、周波数検出回路６０からのステイタス信号７０１は、範囲調整回路６１の接地スイッチ６１１を作動させるため、対応するキャパシタ６１２が接地される。結果として、ＰＷＭコントローラ８０の制御ターミナル８０２での電圧は調整されるため、ＰＷＭコントローラは、周波数検出回路６０によって検出されたディスプレイ走査周波数の整数の倍数（即ち６０，１２０，１８０，２４０．．．Ｈｚ）ではない予めセットされた２１５Ｈｚ及び２２５Ｈｚである周波数範囲内のターンオン及びターンオフ周波数を有して拍動する源制御信号８０１を出力する。
【００２４】
他方では、周波数検出回路６０が、画像信号７０２のディスプレイ走査周波数が７５Ｈｚだと検出したとき、周波数検出回路６０からのステイタス信号７０１は、範囲調整回路６２の接地スイッチ６２１を作動させるため、対応するキャパシタ６２２が接地される。結果として、ＰＷＭコントローラ８０の制御ターミナル８０２での電圧は調整されるため、ＰＷＭコントローラは、周波数検出回路６０によって検出されたディスプレイ走査周波数の整数の倍数（即ち７５，１５０，２２５，３００．．．Ｈｚ）ではない予めセットされた２４０Ｈｚ及び２５５Ｈｚである周波数範囲内のターンオン及びターンオフ周波数を有して拍動する源制御信号８０１を出力する。
【００２５】
同様にして、周波数検出回路６０が、画像信号７０２のディスプレイ走査周波数が８５Ｈｚだと検出したとき、周波数検出回路６０からのステイタス信号７０１は、範囲調整回路６３の接地スイッチ６３１を作動させるため、対応するキャパシタ６３２が接地される。結果として、ＰＷＭコントローラ８０の制御ターミナル８０２での電圧は調整されるため、ＰＷＭコントローラは、周波数検出回路６０によって検出されたディスプレイ走査周波数の整数の倍数（即ち８５，１７０，２５５．．．Ｈｚ）ではない予めセットされた２３０Ｈｚ及び２４５Ｈｚである周波数範囲内のターンオン及びターンオフ周波数を有して拍動する源制御信号８０１を出力する。
【００２６】
周波数検出回路６０によって検出されたディスプレイ走査周波数に基づき、範囲調整回路６１，６２，６３のうちの１つの接地スイッチ６１１，６２１，６３１は、周波数検出回路６０によって作動される。範囲調整回路６１，６２，６３のキャパシタ６１２，６２２，６３２は、異なる容量値を有するため、ＰＷＭコントローラ８０の制御ターミナル８０２での電圧は、検出されたディスプレイ走査周波数に従って変化する。そのため、ＰＷＭコントローラ８０が予めセットされた周波数範囲内で源制御信号８０１を生成することが可能にされる。予めセットされた周波数範囲は、範囲調整回路６１，６２，６３のうちの作動された１つに対応し、周波数検出回路６０によって検出されたディスプレイ走査周波数の整数の倍数ではないターンオン及びターンオフ周波数を有する。結果として、かかる妨害と関連付けられる高調波妨害及びムラ現象は防止され得るため、ディスプレイ装置１０によって表示される画像の質が保持される。
【００２７】
画像信号７０２は、ディスプレイカード７以外の音声−映像信号源によって生成されたものであり得る。更に、本実施例では、範囲調整回路６１，６２，６３のキャパシタ６１２，６２２，６３２は、異なる容量値を有するため、ＰＷＭコントローラ８０の制御ターミナル８０２での電圧は、検出されたディスプレイ走査周波数に従って変化され得る。しかしながら、ＰＷＭコントローラ８０が一組の使用可能な制御ターミナルを備えて作られた用途では、ＰＷＭコントローラ８０は、キャパシタ６１２，６２２，６３２を必要とせずに、範囲調整回路６１，６２，６３の作動状態及び非作動状態を確認するよう構成され得る。
【００２８】
本発明は、最も実用的且つ望ましい実施例と考えられるものと関連して説明されている。その一方で、本発明は、開示された実施例に制限されず、すべてのかかる実施例及び同等の配置を網羅するよう、最も広い解釈の趣旨及び範囲内に含まれた多種の配置を対象とすることが意図されていると理解される。
【図面の簡単な説明】
【００２９】
【図１】従来のＬＣＤ装置で輝度及びコントラストを調整する電力信号を例示する。
【図２】バーストモードで動作可能である従来のＬＣＤ装置の概略的な回路ブロック図である。
【図３】図２中の従来のＬＣＤ装置で生成された源制御信号を例示する。
【図４】本発明によるディスプレイ装置の望ましい実施例の概略的な回路ブロック図である。
【図５】望ましい実施例の他の概略的な回路ブロック図であり、制御モジュールをより詳細に例示する。
【符号の説明】
【００３０】
５    ディスプレイパネル
７    ディスプレイカード
８    光源調整モジュール
９    ランプ管
１０  ディスプレイ装置
８０  パルス幅変調コントローラ
８２  制御モジュール
８１  電力回路
８３  インバータ
８４  変圧器
８５  フィードバック・ユニット
７０２      画像信号
８０１      源制御信号
８０２      制御ターミナル
【図１】
2005346081.tif 000003
【図２】
2005346081.tif 000004
【図３】
2005346081.tif 000005
【図４】
2005346081.tif 000006
【図５】
2005346081.tif 000007
【外国語明細書】
2005346081.tif 000008
2005346081.tif 000009
2005346081.tif 000010
2005346081.tif 000011
2005346081.tif 000012
2005346081.tif 000013
2005346081.tif 000014
2005346081.tif 000015
2005346081.tif 000016
2005346081.tif 000017
2005346081.tif 000018
2005346081.tif 000019
2005346081.tif 000020
2005346081.tif 000021
2005346081.tif 000022
2005346081.tif 000023
2005346081.tif 000024
2005346081.tif 000025
2005346081.tif 000026
2005346081.tif 000027
2005346081.tif 000028
【図１】
2005346081.tif 000029
【図２】
2005346081.tif 000030
【図３】
2005346081.tif 000031
【図４】
2005346081.tif 000032
【図５】
2005346081.tif 000033